(57)【要約】【課題】フロアパネルに貫通孔を形成した後の清掃作業に労力と時間が掛ることを防止する切粉回収機を提供する。【解決手段】内部空間２１ｈと、内部空間２１ｈに連通し、上面側に開口する第１のドリル挿通孔２５ａと、内部空間２１ｈに連通し、下面側に開口する第２のドリル挿通孔２６ａと、内部空間２１ｈに連通する吸引口２２ａ，２２ｂを備える。【選択図】図６
2018158427.tif 000002
【特許請求の範囲】
【請求項１】
内部空間と、
前記内部空間に連通し、上面側に開口する第１のドリル挿通孔と、
前記内部空間に連通し、下面側に開口する第２のドリル挿通孔と、
前記内部空間に連通する吸引口を備える
ことを特徴とする切粉回収機。
【請求項２】
前記第１のドリル挿通孔と、前記第２のドリル挿通孔は、それぞれの内径寸法が略同じ寸法であると共に、それぞれの中心軸線が同一軸線上に配置された
ことを特徴とする請求項１に記載の切粉回収機。
【請求項３】
前記切粉回収機の下面から下方に突出する突出部を備え、
前記第２のドリル挿通孔は、前記突出部を上下方向に貫通すると共に、前記突出部の軸心を中心として開口するように形成された
ことを特徴とする請求項１又は２に記載の切粉回収機。
【請求項４】
前記切粉回収機の下面に固定部材が設けられた
ことを特徴とする請求項１から３のいずれかに記載の切粉回収機。
【請求項５】
前記固定部材がマジックテープ（登録商標）である
ことを特徴とする請求項４に記載の切粉回収機。
【発明の詳細な説明】
【技術分野】
【０００１】
本発明は、フロアパネルに貫通孔を形成する際に周囲に飛散する切粉を回収するために用いられる切粉回収機に関するものである。
【背景技術】
【０００２】
フリーアクセスフロアを構成するフロアパネルは、建築物の基礎床面の上方に、空間を隔てて設けられていた（例えば、特許文献１参照）。
【０００３】
図１４から図１７は、フロアパネル２に形成された貫通孔２ａについて説明するために参照する図である。
【０００４】
フロアパネル２は、図１４に示すように、板状の天板６と、箱状の底板８と、これらの間に配置された補強部材１２を備えていた。天板６と底板８は共に鋼板材を用いて形成されていた。
【０００５】
底板８は、図１４に示すように、底面８ａを形成する底板部８ｂと、底板部８ｂの周縁部より図中上方に向かって伸びる側板部８ｃと、側板部８ｃの上端部から図中水平方向外側に向かって折り曲げられた周縁部８ｄから構成されていた。
【０００６】
図１４に示すように、底板８の周縁部８ｄは、天板６の周縁部６ｂに当接し、周縁部６ｂに溶接やカシメなどにより接合されていた。フロアパネル２は、天板６と底板８が一体的に結合されることにより、天板６と、底板８の底板部８ｂと、側板部８ｃに囲まれた内部空間１０を有する中空の直方体状に形成されていた。
【０００７】
そして、板状の補強部材１２が内部空間１０内に配置されていた。補強部材１２には、木材を小さな木片に砕いて乾燥させ、接着剤を加えて高温高圧の下で成形したパーティクルボードが用いられていた。
【０００８】
また、フロアパネル２には、図１５，１６に示すように、その厚さ方向（図１６中上下方向）に貫通する貫通孔２ａが電動ドリルを用いて複数形成されていた。
【先行技術文献】
【特許文献】
【０００９】
【特許文献１】特開２００９−１４４３７８号公報
【発明の概要】
【発明が解決しようとする課題】
【００１０】
しかしながら、図１７に示すように、電動ドリル３０を用いてフロアパネル２に貫通孔２ａを形成する際には、天板６、底板８、補強部材１２の切粉１８が周囲に飛散するため、貫通孔２ａを形成した後に、飛散した切粉１８を掃除機で吸い取る必要があった。
【００１１】
このため、フロアパネル２に貫通孔２ａを形成した後の切粉１８の清掃作業に多大な労力と時間が掛るという問題があった。
【００１２】
そこで本発明は、上記問題点に鑑みて、フロアパネルに貫通孔を形成した後の清掃作業に労力と時間が掛ることを防止する切粉回収機を提供することを課題とするものである。
【課題を解決するための手段】
【００１３】
上記課題を解決するために、本発明による切粉回収機は、
内部空間と、
前記内部空間に連通し、上面側に開口する第１のドリル挿通孔と、
前記内部空間に連通し、下面側に開口する第２のドリル挿通孔と、
前記内部空間に連通する吸引口を備えることを特徴とするものである。
【００１４】
また、本発明による切粉回収機は、
前記第１のドリル挿通孔と、前記第２のドリル挿通孔は、それぞれの内径寸法が略同じ寸法であると共に、それぞれの中心軸線が同一軸線上に配置されたことを特徴とするものである。
【００１５】
また、本発明による切粉回収機は、
前記切粉回収機の下面から下方に突出する突出部を備え、
前記第２のドリル挿通孔は、前記突出部を上下方向に貫通すると共に、前記突出部の軸心を中心として開口するように形成されたことを特徴とするものである。
【００１６】
また、本発明による切粉回収機は、
前記切粉回収機の下面に固定部材が設けられたことを特徴とするものである。
【００１７】
また、本発明による切粉回収機は、
前記固定部材がマジックテープ（登録商標）であることを特徴とするものである。
【発明の効果】
【００１８】
このような本発明の切粉回収機によれば、
内部空間と、
前記内部空間に連通し、上面側に開口する第１のドリル挿通孔と、
前記内部空間に連通し、下面側に開口する第２のドリル挿通孔と、
前記内部空間に連通する吸引口を備えることにより、
フロアパネルに貫通孔を形成した後の清掃作業に労力と時間が掛ることを防止することができる。
【図面の簡単な説明】
【００１９】
【図１】本発明の実施の形態に係る切粉回収機２０の斜視図である。
【図２】図１に示した切粉回収機２０の上面図である。
【図３】図２に示した切粉回収機２０の正面図である。
【図４】図２に示した切粉回収機２０の左側面図である。
【図５】図２に示した切粉回収機２０の底面図である。
【図６】図２に示した切粉回収機２０のＡ−Ａ線矢視断面図である。
【図７】図６に示した切粉回収機２０の一部を拡大して示す一部拡大断面図。
【図８】図６に示した切粉回収機２０に電動ドリル３０の刃を挿通させた状態を示す断面図である。
【図９】図６に示した切粉回収機２０に掃除機ホース３１を接続した状態を示す断面図である。
【図１０】図１０（ａ）はタイルカーペット３２の貫通孔３２ａに、切粉回収機２０のガイド部材２６を嵌合させる直前の状態を示す図で、図１０（ｂ）はタイルカーペット３２の貫通孔３２ａに、切粉回収機２０のガイド部材２６を嵌合させた状態を示す図である。
【図１１】図１１（ａ）は切粉回収機２０に電動ドリル３０の刃を挿通させて、フロアパネル２に貫通孔２ａを形成する直前の状態を示す図で、図１１（ｂ）は図１１（ａ）の状態から、電動ドリル３０を作動させて、フロアパネル２に貫通孔２ａを形成している途中の状態を示す図である。
【図１２】図１２（ａ）はフロアパネル２に貫通孔２ａを形成し終わった状態を示す図で、図１２（ｂ）は図１２（ａ）の状態から、電動ドリル３０を引き抜いた状態を示す図である。
【図１３】図６に示した切粉回収機２０に掃除機ホース３１を接続し、電動ドリル３０を用いてフロアパネル２に貫通孔２ａを形成している際に、掃除機により切粉１８を吸引している状態を示す断面図である。
【図１４】フロアパネル２の一部破断側面図である。
【図１５】図１４に示したフロアパネル２の上面図である。
【図１６】図１５に示したフロアパネル２のＢ−Ｂ線矢視断面図である。
【図１７】電動ドリル３０を用いてフロアパネル２に貫通孔２ａを形成する作業における、従来の課題を説明するために示す断面図である。
【発明を実施するための形態】
【００２０】
以下、本発明に係る切粉回収機を実施するための形態について、図面に基づいて具体的に説明する。
【００２１】
図１から図１３は、本発明の実施の形態に係る切粉回収機２０について説明するために参照する図である。
【００２２】
本実施の形態に係る切粉回収機２０は、図１〜５に示すように、縦型筒体２１、横型筒体２２、支持部材２３、マジックテープ（登録商標）２４（固定部材）、ガイド部材２５、及びガイド部材２６（突出部）を備えている。
【００２３】
縦型筒体２１は、図１，２に示すように、略円筒状に形成され、その中心軸線が図３中上下方向に伸びるように、支持部材２３の上面２３ａの中央部（図２，４参照）に立設して固定されている。
【００２４】
縦型筒体２１は、図６，７に示すように、その上面２１ｂを形成する略円環板状（図１参照）の円環板部２１ａと、円環板部２１ａの周縁部から図６中下方に伸びて、縦型筒体２１の外周側面２１ｄを形成する略円筒状（図１参照）の筒状部２１ｃを有している。
【００２５】
円環板部２１ａは、図７に示すように、図中上下方向に貫通すると共に、その開口形状が略円形の貫通孔２１ｅが、円環板部２１ａの中央部（図２参照）に形成されている。
【００２６】
また、筒状部２１ｃには、図７に示すように、図中左側の外周側面２１ｄから、図中左側の内周面２１ｆまで図中左右方向に貫通すると共に、開口形状が略円形状（図４参照）の貫通孔２１ｇが形成されている。
【００２７】
横型筒体２２は、図１に示すように、略円筒状に形成され、その中心軸線が図２中左右方向に伸びるように配置されると共に、支持部材２３の上面２３ａに接触して支持されている（図３，４参照）。
【００２８】
横型筒体２２には、図６に示すように、その長さ方向の図中右側半分に、内径寸法Ｌ１の貫通孔２２ａ（吸引口）が形成され、その長さ方向の図中左側半分に、内径寸法Ｌ２の貫通孔２２ｂ（吸引口）が形成されている。
【００２９】
そして、図６に示すように、貫通孔２２ａの内径寸法Ｌ１は、貫通孔２２ｂの内径寸法Ｌ２よりも小さくなるように形成されている。このため、横型筒体２２の内周面には、その長さ方向の略中央部に傾斜した段差部２２ｃが形成されている。
【００３０】
図６に示すように、横型筒体２２の図中上下方向の高さ寸法は、縦型筒体２１の図中上下方向の長さ寸法と略同じ長さになるように形成されている。そして、横型筒体２２の長さ方向（図中左右方向）の図中右端面が、縦型筒体２１の外周側面２１ｄの図２中左側半周部分に固定されている。
【００３１】
そして、縦型筒体２１と横型筒体２２が上記のように接続されているため、図６に示すように、縦型筒体２１の内部空間２１ｈと、横型筒体２２の貫通孔２２ａは、筒状部２１ｃの貫通孔２１ｇを介して連通している。
【００３２】
また、図６に示すように、横型筒体２２の外周側面２２ｅの下端部は、その長さ方向（図中左右方向）の図中右側半分のみが、支持部材２３の上面２３ａに接触している（図４参照）。
【００３３】
支持部材２３は、図２，６に示すように、略円環板状に形成され、その中央部には板厚方向（図６中上下方向）に貫通すると共に、開口形状が略円形（図５参照）の貫通孔２３ｂが形成されている。
【００３４】
また、図７に示すように、支持部材２３の貫通孔２３ｂは、その内径寸法Ｌ４が、縦型筒体２１の貫通孔２１ｅの内径寸法Ｌ３と略同じ長さになるように形成されると共に、その中心軸線２３ｃと、縦型筒体２１の貫通孔２１ｅの中心軸線２１ｉが同一軸線上に配置されるように形成されている。
【００３５】
マジックテープ（登録商標）２４は、図５，７に示すように、略円環状に形成され、支持部材２３の下面２３ｄ（図７参照）を殆ど全て覆うように、支持部材２３の下面２３ｄに貼り付けられている。
【００３６】
マジックテープ（登録商標）２４には、図７に示すように、図中上下方向に貫通すると共に、開口形状が円形状の貫通孔２４ａ（図５参照）が、支持部材２３の貫通孔２３ｂに連通するように形成されている。
【００３７】
マジックテープ（登録商標）２４の貫通孔２４ａは、図７に示すように、その内径寸法が、支持部材２３の貫通孔２３ｂの内径寸法Ｌ４よりも少しだけ大きく（図５参照）形成されると共に、その中心軸線２４ｂと、支持部材２３の貫通孔２３ｂの中心軸線２３ｃが同一軸線上に配置されるように形成されている。
【００３８】
ガイド部材２５は、円筒状（図１参照）に形成され、図６に示すように、その上端面が縦型筒体２１の上面２１ｂより上方に突出せず、その下端部が縦型筒体２１の内部空間２１ｈ中に配置されるように、縦型筒体２１の貫通孔２１ｅに嵌合して固定されている。
【００３９】
ガイド部材２５には、図７に示すように、図中上下方向に貫通する貫通孔２５ａ（第１のドリル挿通孔）が形成されている。貫通孔２５ａは、図２に示すように、ガイド部材２５の軸心を中心として円形状に開口するように形成されている。
【００４０】
このように、ガイド部材２５の貫通孔２５ａは、切粉回収機２０の上面側に開口すると共に、縦型筒体２１の内部空間２１ｈに連通するように設けられている（図６参照）。
【００４１】
ガイド部材２６は、円筒状（図３，５参照）に形成され、図６に示すように、その上端面が、支持部材２３の上面２３ａよりも上方に突出しないように、支持部材２３の貫通孔２３ｂに嵌合して固定されている。
【００４２】
ガイド部材２６には、図６に示すように、図中上下方向に貫通する貫通孔２６ａ（第２のドリル挿通孔）が形成されている。貫通孔２６ａは、図５に示すように、ガイド部材２６の軸心を中心として円形状に開口するように形成されている。
【００４３】
ガイド部材２６の貫通孔２６ａは、図７に示すように、その内径寸法Ｌ６が、ガイド部材２５の貫通孔２５ａの内径寸法Ｌ５と略同じ長さになるように形成されると共に、その中心軸線２６ｂと、ガイド部材２５の貫通孔２５ａの中心軸線２５ｂが同一軸線上に配置されるように形成されている。
【００４４】
また、ガイド部材２６は、図７に示すように、マジックテープ（登録商標）２４の貫通孔２４ａを挿通して、その下端部がマジックテープ（登録商標）２４の下面２４ｃよりも下方に突出するように設けられている。
【００４５】
このように、ガイド部材２６の貫通孔２６ａは、切粉回収機２０の下面側に開口すると共に、縦型筒体２１の内部空間２１ｈに連通するように設けられている（図６参照）。
【００４６】
したがって、図６，７に示すように、ガイド部材２５の貫通孔２５ａと、ガイド部材２６の貫通孔２６ａは、縦型筒体２１の内部空間２１ｈを介して、図７中上下方向に連通している。
【００４７】
このため、図８に示すように、フロアパネル２に貫通孔２ａ（図１６参照）を形成するために用いる電動ドリル３０の刃を、切粉回収機２０の上方から、ガイド部材２５の貫通孔２５ａ、縦型筒体２１の内部空間２１ｈ、及びガイド部材２６の貫通孔２６ａをそれぞれ挿通させることができるようになっている。
【００４８】
また、図８に示すように、ガイド部材２５の貫通孔２５ａの内径寸法Ｌ５（図７参照）、及びガイド部材２６の貫通孔２６ａの内径寸法Ｌ６（図７参照）は、それぞれ電動ドリル３０の刃の外径寸法Ｌ８よりも少しだけ大きく形成されているが、略同じ大きさになっている。
【００４９】
このため、フロアパネル２に貫通孔２ａ（図１６参照）を形成する際に、電動ドリル３０の刃を図８中上下方向に真っ直ぐに設置することができると共に、電動ドリル３０の刃が横に殆ど動かないようにすることができる。
【００５０】
また、図９に示すように、横型筒体２２の貫通孔２２ｂは、その内径寸法Ｌ２（図６参照）が、フロアパネル２に貫通孔２ａを形成する際に発生する切粉１８（図１８参照）を吸い取る掃除機の掃除機ホース３１の外径寸法Ｌ９と略同じ大きさになるように形成されている。
【００５１】
このため、横型筒体２２の貫通孔２２ｂに、図９中左側から、掃除機ホース３１を嵌合できるようになっている。
【００５２】
また、図９に示すように、横型筒体２２の貫通孔２２ａは、その内径寸法Ｌ１（図６参照）が、掃除機ホース３１の外径寸法Ｌ９よりも小さくなるように形成されている。
【００５３】
このため、横型筒体２２の貫通孔２２ａまで、掃除機ホース３１を挿入しようとしても、掃除機ホース３１の先端部が段差部２２ｃに衝突して、段差部２２ｃよりも図９中右側の貫通孔２２ａに、掃除機ホース３１を挿入できないようになっている。
【００５４】
図１０〜１２は、本実施の形態に係る切粉回収機２０、及び電動ドリル３０を用いて、フロアパネル２に貫通孔２ａを形成する手順を示す図である。
【００５５】
なお、図１０（ａ）に示すように、フロアパネル２の上面６ａには、タイルカーペット３２が敷設されている。
【００５６】
また、図１０（ａ）に示すように、フロアパネル２に貫通孔２ａを形成する際に発生する切粉１８を掃除機で吸引するために、切粉回収機２０の横型筒体２２の貫通孔２２ｂ（図９参照）に掃除機ホース３１が嵌合されている。
【００５７】
フロアパネル２に貫通孔２ａを形成する前に、まず、図１０（ａ）に示すように、タイルカーペット３２に円形状の開口形状を有する貫通孔３２ａを、その内径寸法が切粉回収機２０のガイド部材２６の外径寸法Ｌ１０（図３参照）と略同じ大きさになるように形成する。
【００５８】
そして、図１０（ｂ）に示すように、切粉回収機２０のガイド部材２６を、タイルカーペット３２の貫通孔３２ａに上方から嵌合させて、ガイド部材２６の下端面をフロアパネル２の上面６ａに接触させると共に、マジックテープ（登録商標）２４をタイルカーペット３２の上面３２ｂに付着させる。
【００５９】
このように、マジックテープ（登録商標）２４の下面２４ｃよりも下方に突出したガイド部材２６を、タイルカーペット３２の貫通孔３２ａに嵌合させているため、タイルカーペット３２の貫通孔３２ａに対する電動ドリル３０の刃の位置決めを容易に行うことができる。
【００６０】
すなわち、切粉回収機２０のガイド部材２６をタイルカーペット３２の貫通孔３２ａに嵌合させることにより、タイルカーペット３２の貫通孔３２ａの真ん中に、フロアパネル２の貫通孔２ａが形成されるように、電動ドリル３０の刃の位置決めを容易に行うことができる。
【００６１】
そして、図１１（ａ）に示すように、電動ドリル３０の刃の先端部を、切粉回収機２０の上方から、ガイド部材２５の貫通孔２５ａ（図８参照）、縦型筒体２１の内部空間２１ｈ（図８参照）、及びガイド部材２６の貫通孔２６ａ（図８参照）を挿通させて、フロアパネル２の上面６ａまで到達させる。
【００６２】
前述のように、ガイド部材２５の貫通孔２５ａの内径寸法Ｌ５（図７参照）、及びガイド部材２６の貫通孔２６ａの内径寸法Ｌ６（図７参照）は、それぞれ電動ドリル３０の刃の外径寸法Ｌ８（図８参照）と略同じ大きさになっている。
【００６３】
このため、図１１（ａ）の状態において、電動ドリル３０の刃は、図１１（ａ）中上下方向に真っ直ぐになるように設置されていると共に、横に殆ど動かないように設置されている。
【００６４】
したがって、電動ドリル３０の刃の先端部が、ガイド部材２５の貫通孔２５ａと、ガイド部材２６の貫通孔２６ａを挿通することにより、タイルカーペット３２の貫通孔３２ａの真ん中に、フロアパネル２の貫通孔２ａが形成されるように、電動ドリル３０の刃の位置決めを容易に行うことができる。
【００６５】
そして、図１１（ｂ）に示すように、電動ドリル３０を作動させて、フロアパネル２の天板６、底板８、補強部材１２を削っていく。
【００６６】
マジックテープ（登録商標）２４の下面２４ｃ（図７参照）が、タイルカーペット３２の上面３２ｂに接触しているため、マジックテープ（登録商標）２４とタイルカーペット３２の付着により、電動ドリル３０の作動中に、その振動により切粉回収機２０が動くことを防止できている。
【００６７】
そして、図１２（ａ）に示すように、電動ドリル３０の刃が、フロアパネル２の天板６、補強部材１２、及び底板８を削って、フロアパネル２を図中上下方向に貫通したら、図１２（ｂ）に示すように、フロアパネル２に貫通孔２ａが形成される。
【００６８】
フロアパネル２の天板６、底板８、補強部材１２を電動ドリル３０で削っていく間（図１１（ｂ）の状態）は、図１３に示すように、掃除機ホース３１が取り付けられた掃除機により、天板６、底板８、及び補強部材１２から発生する切粉１８を吸引している。
【００６９】
図１３に示すように、切粉１８は、ガイド部材２６の貫通孔２６ａ（図６参照）から、縦型筒体２１の内部空間２１ｈ、縦型筒体２１の貫通孔２１ｇ（図６参照）、横型筒体２２の貫通孔２２ａ、及び掃除機ホース３１を通って掃除機に吸引される。
【００７０】
このため、電動ドリル３０を用いてフロアパネル２に貫通孔２ａを形成していく間に、天板６、底板８、補強部材１２から発生する切粉１８が、切粉回収機２０の周囲に飛散することはなく、貫通孔２ａを形成した後に、飛散した切粉１８を掃除機で吸い取る必要はなくなる。
【００７１】
したがって、本実施の形態に係る切粉回収機２０においては、フロアパネル２に貫通孔２ａを形成した後の清掃作業に労力と時間が掛ることを防止することができる。
【００７２】
なお、本発明は、前記実施の形態にのみ限定されるものではなく、本発明の目的を達成することができる範囲内であれば、切粉回収機について種々の変更が可能である。
【００７３】
例えば、前記実施の形態に係る切粉回収機２０には、支持部材２３の下面２３ｄにマジックテープ（登録商標）２４が貼り付けられていたが、このような構成に限定される必要はなく、マジックテープ（登録商標）２４以外の他の固定部材（両面テープ等）が、支持部材２３の下面に貼り付けられていてもよいし、何も貼り付けられていなくてもよい。
【００７４】
また、前記実施の形態に係る切粉回収機２０は、天板６、底板８、及び補強部材１２を備えるフロアパネル２から発生する切粉１８を回収するために用いられていたが、フロアパネル２に限定される必要はなく、他の種類のフロアパネルから発生する切粉１８を回収するために用いられていてもよい。
【００７５】
したがって、例えば、補強部材１２が木材ではなく、コンクリート等の他の材料を用いて形成されたフロアパネルから発生する切粉１８を回収するために切粉回収機２０が用いられていてもよいし、鋼材のみで構成されたフロアパネルから発生する切粉１８を回収するために切粉回収機２０が用いられていてもよい。
【００７６】
また、前記実施の形態に係る切粉回収機２０においては、図７に示すように、ガイド部材２６の下端部がマジックテープ（登録商標）２４の下面２４ｃよりも下方に突出するように設けられていたが、このような構成に限定される必要はなく、ガイド部材２６の下端部がマジックテープ（登録商標）２４の下面２４ｃよりも下方に突出していなくてもよい。
【符号の説明】
【００７７】
１  フリーアクセスフロア
２  フロアパネル
２ａ  貫通孔
６  天板
６ａ  上面
６ｂ  周縁部
８  底板
８ａ  底面
８ｂ  底板部
８ｃ  側板部
８ｄ  周縁部
１０  内部空間
１２  補強部材
１８  切粉
２０  切粉回収機
２１  縦型筒体
２１ａ  円環板部
２１ｂ  上面
２１ｃ  筒状部
２１ｄ  外周側面
２１ｅ  貫通孔
２１ｆ  内周面
２１ｇ  貫通孔
２１ｈ  内部空間
２１ｉ  中心軸線
２２  横型筒体
２２ａ  貫通孔
２２ｂ  貫通孔
２２ｃ  段差部
２２ｄ  内部空間
２２ｅ  外周側面
２３  支持部材
２３ａ  上面
２３ｂ  貫通孔
２３ｃ  中心軸線
２３ｄ  下面
２４  マジックテープ（登録商標）
２４ａ  貫通孔
２４ｂ  中心軸線
２４ｃ  下面
２５  ガイド部材
２５ａ  貫通孔
２５ｂ  中心軸線
２６  ガイド部材
２６ａ  貫通孔
２６ｂ  中心軸線
３０  電動ドリル
３１  掃除機ホース
３２  タイルカーペット
３２ａ  貫通孔
３２ｂ  上面
Ｌ１  内径寸法
Ｌ２  内径寸法
Ｌ３  内径寸法
Ｌ４  内径寸法
Ｌ５  内径寸法
Ｌ６  内径寸法
Ｌ８  外径寸法
Ｌ９  外径寸法
Ｌ１０  外径寸法
【図１】
2018158427.tif 000003
【図２】
2018158427.tif 000004
【図３】
2018158427.tif 000005
【図４】
2018158427.tif 000006
【図５】
2018158427.tif 000007
【図６】
2018158427.tif 000008
【図７】
2018158427.tif 000009
【図８】
2018158427.tif 000010
【図９】
2018158427.tif 000011
【図１０】
2018158427.tif 000012
【図１１】
2018158427.tif 000013
【図１２】
2018158427.tif 000014
【図１３】
2018158427.tif 000015
【図１４】
2018158427.tif 000016
【図１５】
2018158427.tif 000017
【図１６】
2018158427.tif 000018
【図１７】
2018158427.tif 000019